(57)【特許請求の範囲】
【請求項１】
筐体と、前記筐体に弾性的に吊り下げた外槽と、前記外槽内に回転自在に支持した内槽と、前記内槽の内底部に回転自在に支持した回転翼と、前記内槽を駆動する駆動手段と、前記内槽内の衣類又は水を加熱する加熱手段と、給水温度を検知する検知手段とを備え、前記加熱手段は、ヒータと送風機によりなる温風送風手段と、供給する水を加熱するために給水経路の途中に設けたヒータとで構成され、運転開始時の給水時に、前記検知手段により検知した温度に基づいて給水する水の加熱時間を制御するとともに、前記検知手段により検知した温度に基づいて前記温風送風手段による温風送風時間を制御することによって、衣類又は水を加熱して洗浄を行うことを特徴とする乾燥洗濯機。
【発明の詳細な説明】
【０００１】
【発明の属する技術分野】
本発明は、洗濯兼脱水槽内の衣類を温め、洗濯物の汚れ落ちを良くする乾燥洗濯機に関するものである。
【０００２】
【従来の技術】
従来、この種の乾燥洗濯機は図１１に示すように構成していた。以下、その構成について説明する。
【０００３】
図１１に示すように、筐体５１は、内部に複数のサスペンション５２によって弾性的に吊り下げた外槽５３を設け、脱水時の振動をサスペンション５２によって吸収する構成としている。外槽５３の内部には、洗濯物および乾燥対象物（以下、衣類という）を収容する内槽５４を中空で２重構造とした洗濯・脱水軸５５を中心に回転可能に配設し、内槽５４の内底部に衣類を攪拌する回転翼５６を回転自在に配設している。また、内槽５４の内部周壁には小孔（図示せず）を多数設けるとともに、上方には流体バランサ５７を設けている。
【０００４】
モータ（駆動手段）５８は、外槽５３の底部に取り付け、洗濯または脱水時に回転力の伝達を洗濯・脱水軸５５に切り換えるクラッチ５９と洗濯・脱水軸５５を介して、内槽５４または回転翼５６に連結している。回転翼５６は外周部に外周方向に高くなる傾斜面を有する略Ｗ型の形状をし、攪拌用突出リブを形成して、乾燥行程においては、衣類を回転翼５６の回転による遠心力で傾斜面に沿って上方へと舞い上がりやすくするともに、略Ｗ型の内壁に設けた小孔（図示せず）より、衣類を通った温風が抜けるようにしている。
【０００５】
乾燥用送風機６０は、ヒータ６１により加熱された温風を伸縮自在の上部蛇腹状ホース６２を通して温風噴出口６３より内槽５４内に送風するもので、筐体５１の略上方に設けており、乾燥用送風機６０とヒータ６１とで温風送風手段を構成している。循環路６４は、湿った温風の除湿を行うもので、一端を外槽５３の排水経路口６５に接続した下部蛇腹状ホース６６に接続し、他端を乾燥用送風機６０に接続している。
【０００６】
排水弁６７は、外槽５２の底部に固定し、下部蛇腹状ホース６６と循環路６４からの排水を排水路６８を通して排水弁６７に導き、排水ホース６９から機外へ排水するように構成している。外槽カバー７０は外槽５３の上面を気密的に覆うもので、この外槽カバー７０に中蓋７１を開閉自在に設け、衣類の出し入れを行うようにしている。
【０００７】
上記構成において動作を説明する。洗濯行程では、中蓋７１を開けて、内槽５４内に衣類と水または湯および洗剤を投入し、運転を開始すると給水弁（図示せず）を開いて所定の水位まで給水した後、モータ５８を駆動する。このとき、伝達機構部のクラッチ５９を洗濯側に設定して、モータ５８の動力を洗濯軸を介して回転翼５６に伝達し、回転翼５６が回転することで、衣類が回転翼６の攪拌用突出リブに引っかかり、中心部へ引き込まれる。内槽５４の中心下層部の衣類は、引き込まれた衣類により、内槽５４の上層部へ押し上げられる。このようにして内槽５４内の衣類を撹拌して、衣類同士、または内槽５４、回転翼５６との接触による摩擦により洗濯する。
【０００８】
脱水行程では、洗濯終了後、排水弁６９を開いて内槽５４内の水を排水した後、伝達機構部のクラッチ５９を脱水側に切り換えて、モータ５８の動力を脱水軸を介し内槽５４に伝達して回転させ、衣類に遠心力を与えることにより、水分を衣類から分離することで行う。
【０００９】
乾燥行程は、排水弁６７を開くとともに、モータ５８を駆動して回転翼５６を回転させ、衣類に遠心力を与えることにより、衣類を外へはね飛ばすようにする。すると回転翼５６の傾斜面で衣類を上方へはね上げようとする力が働き（遠心力の分力）、衣類が攪拌される。この攪拌を繰り返しながら乾燥用送風機６０による送風とヒータ６１による発熱により、上部蛇腹状ホース６２を通して内槽５４の上方より内槽５４内へ温風を送り込む。この温風は、衣類の水分を奪った後、内槽５４から外槽５３の内側へ出た後、下部蛇腹状ホース６６を通過して、循環路６４へ至る。
【００１０】
衣類の水分を奪って湿気を含んだ温風が、外槽５３の内壁や循環路６４内を通過しているとき、その内部では、水分の結露が起こり、湿った温風は除湿されて乾燥用送風機６０へ戻る。この循環路６４で温風を循環させることにより、内槽５４内の衣類を乾燥させることができる。
【００１１】
【発明が解決しようとする課題】
このような従来の構成において、洗濯は回転翼により衣類を撹拌し、衣類同士及び内槽、回転翼との摩擦により行っている。しかしながら、ひどい汚れは、十分に落としきれない場合があった。
【００１２】
本発明は上記課題を解決するもので、衣類及び水の温度を上昇し、洗浄率を向上することを目的としている。
【００１３】
【課題を解決するための手段】
本発明は上記目的を達成するために、筐体と、前記筐体に弾性的に吊り下げた外槽と、前記外槽内に回転自在に支持した内槽と、前記内槽の内底部に回転自在に支持した回転翼と、前記内槽を駆動する駆動手段と、前記内槽内の衣類又は水を加熱する加熱手段と、給水温度を検知する検知手段とを備え、前記加熱手段は、ヒータと送風機によりなる温風送風手段と、供給する水を加熱するために給水経路の途中に設けたヒータとで構成され、運転開始時の給水時に、前記検知手段により検知した温度に基づいて給水する水の加熱時間を制御するとともに、前記検知手段により検知した温度に基づいて前記温風送風手段による温風送風時間を制御することよって、衣類又は水を加熱して洗浄を行うようにしたものである。これにより、衣類の汚れ落ちをよくして洗浄率を向上することができる。
【００１４】
【発明の実施の形態】
本発明の請求項１に記載の発明は、筐体と、前記筐体に弾性的に吊り下げた外槽と、前記外槽内に回転自在に支持した内槽と、前記内槽の内底部に回転自在に支持した回転翼と、前記内槽を駆動する駆動手段と、前記内槽内の衣類又は水を加熱する加熱手段と、給水温度を検知する検知手段とを備え、前記加熱手段は、ヒータと送風機によりなる温風送風手段と、供給する水を加熱するために給水経路の途中に設けたヒータとで構成され、運転開始時の給水時に、前記検知手段により検知した温度に基づいて給水する水の加熱時間を制御するとともに、前記検知手段により検知した温度に基づいて前記温風送風手段による温風送風時間を制御するものであり、洗濯開始時に衣類及び水を加熱し温度を上げるとともに、給水温度に応じて加熱時間を制御することにより消費電力を抑え、かつ、効率的に洗浄率を向上することができる。
【００１５】
【実施例】
以下、本発明の実施例について、図面を参照しながら説明する。
【００１６】
（実施例１）
図１に示すように、筐体１は、内部に複数のサスペンション２によって弾性的に吊り下げた外槽３を設け、洗濯・脱水時の振動をサスペンション２によって吸収する構成としている。また、外槽３の内部には、衣類を収容する内槽４を中空で２重構造とした洗濯・脱水軸５を中心に回転可能に配設し、内槽４の内底部に衣類を攪拌する回転翼６を回転自在に配設している。また、内槽４の内部周壁には小孔（図示せず）を多数設けるとともに、上方には流体バランサ７を設けている。
【００１７】
モータ（駆動手段）８は、外槽３の底部に取り付け、洗濯時に回転力の伝達を洗濯・脱水軸５に切り換えるクラッチ９と洗濯・脱水軸５を介して、内槽４または回転翼６に連結している。回転翼６は外周部に外周方向に高くなる傾斜面を有する略Ｗ型の形状をし、攪拌用突出リブを形成して、洗濯開始時の加熱行程においては、衣類を回転翼６の回転による遠心力で傾斜面に沿って上方へと舞い上がりやすくしている。
【００１８】
加熱手段１０は、送風機１１ａとヒータ１１ｂからなる温風送風手段により構成し、送風機１１ａは、ヒータ１１ｂにより加熱された温風を伸縮自在の上部蛇腹状ホース１２を通して内槽４内に送風して、衣類及び水の温度を上昇させている。循環路１４は、一端を外槽３の排水経路口１５に接続した下部蛇腹状ホース１６に接続し、他端を送風機１１ａに接続している。
【００１９】
排水弁１７は、外槽３の底部に固定し、下部蛇腹状ホース１６と循環路１４からの排水を排水路１８を通して排水弁１７に導き、排水ホース１９から機外へ排水するように構成している。外槽カバー２０は外槽３の上面を気密的に覆うもので、この外槽カバー２０に中蓋２１を開閉自在に設け、衣類の出し入れを行うようにしている。
【００２０】
上記構成において動作を説明する。洗濯行程では、中蓋２１を開けて、内槽４内に衣類と洗剤を投入する。そして運転を開始すると、給水弁（図示せず）が開いて衣類が十分浸水するまで給水した後、モータ８が駆動する。このとき、伝達機構部のクラッチ９を洗濯側に切り換えることで、内槽４は固定されている。そして、モータ８の動力を洗濯軸を介して回転翼６に伝達し、回転翼６が回転する。回転翼６を回転することで、衣類を回転翼６の攪拌用突出リブに引っかけ攪拌する。
【００２１】
そして、送風機１１ａとヒータ１１ｂにより、内槽４内に温風を送風することで、衣類及び水を暖める。このため衣類に付着した汚れは、通常の水道水を使用しているときに比べて、図２に示すように衣類及び水の温度が高いため落ちやすくなる。そして回転翼６を回転させることで衣類に機械力を加えることができ、衣類の汚れを落とすことができる。
【００２２】
脱水行程及び乾燥行程については、従来例と同じであるので説明を省略する。なお、加熱手段１０としての送風機１１ａとヒータ１１ｂからなる温風送風手段は、乾燥行程で使用するものと同じにして構成を簡素化している。
【００２３】
（実施例２）
図３に示すように、加熱手段にヒートポンプを用いたもので、２２はコンプレッサー、２３は蒸発器、２４は凝縮器である。
【００２４】
上記構成によれば、洗濯行程は、内槽４内に衣類と洗剤を投入し、モータ８の動力により回転翼６を回転することで衣類を攪拌しながら、ヒートポンプサイクルにより洗濯時に温風を内槽４内に送風することで、衣類及び水を暖める。このため衣類に付着した汚れは、通常の水道水を使用しているとき比べて、図２に示すように衣類及び水の温度が高いため落ちやすくなる。
【００２５】
（実施例３）
図４に示すように、加熱手段にマイクロ波を用いたもので、２５はマイクロ波発生装置である。
【００２６】
上記構成によれば、洗濯行程は、前述したように内槽４内に衣類と洗剤を投入し、モータ８の動力により回転翼６を回転すること、衣類を攪拌しながら、マイクロ波により内槽４内の衣類及び水を暖める。このため衣類に付着した汚れは、通常の水道水を使用しているときに比べて、図２に示すように衣類及び水の温度が高いため落ちやすくなる。
【００２７】
（実施例４）
図５に示すように、加熱手段にスチームを用いたもので、２６は給水経路２７の途中に設けたヒータである。
【００２８】
上記構成によれば、洗濯開始時に、ヒータ２６により給水経路２７を通過する水を加熱してスチームを発生させ、そのスチームを内槽４内に噴射して衣類の温度を上げるとともに、モータ８により回転翼６を回転することにより衣類を攪拌し洗濯することで洗浄率を向上することができる。
【００２９】
（実施例５）
図６に示すように、加熱手段として少量の加熱した水を供給するもので、２８は給水経路２９の途中に設けたヒータである。
【００３０】
上記構成によれば、洗濯開始時に、ヒータ２８により水を加熱し、その温水を内槽４内に噴霧して衣類の温度を上げるとともに、モータ８により回転翼６を回転することにより衣類を攪拌し洗濯することで洗浄率を向上することができる。
【００３１】
（実施例６）
図７に示すように、加熱手段として少量の加熱した洗濯液を供給するもので、３０は給水経路３１の途中に設けたヒータで、３２は洗剤ケースである。
【００３２】
上記構成によれば、洗濯開始時に、ヒータ３０により水を加熱し、更に洗剤ケース３２を通過させることで、温度の高い高濃度の洗剤を含む温水を内槽４内に噴霧し、衣類の温度を上げるとともに、モータ８により回転翼６を回転することにより衣類を攪拌し洗濯することで、より高い洗浄性能を得ることできる。
【００３３】
（実施例７）
図８に示すように、筐体１は、内部に複数のサスペンション２によって弾性的に吊り下げた外槽３を設け、洗濯・脱水時の振動をサスペンション２によって吸収する構成としている。また、外槽３の内部には、衣類を収容する内槽４を中空で２重構造とした洗濯・脱水軸５を中心に回転可能に配設し、内槽４の内底部に衣類を攪拌する回転翼６を回転自在に配設している。また、内槽４の内部周壁には小孔（図示せず）を多数設けるとともに、上方には流体バランサ７を設けている。
【００３４】
モータ（駆動手段）８は、外槽３の底部に取り付け、洗濯時に回転力の伝達を洗濯・脱水軸５に切り換えるクラッチ９と洗濯・脱水軸５を介して、内槽４または回転翼６に連結している。回転翼６は外周部に外周方向に高くなる傾斜面を有する略Ｗ型の形状をし、攪拌用突出リブを形成している。３３は布量検知手段である。
【００３５】
ここで、図８に示すように加熱手段１０として、送風機１１ａ及びヒータ１１ｂを用いた場合について説明する。送風機１１ａは、ヒータ１１ｂにより加熱された温風を伸縮自在の上部蛇腹状ホース１２を通して内槽４内に送風するもので、送風機１１ａとヒータ１１ｂとで温風送風手段を構成している。循環路１４は、一端を外槽３の排水経路口１５に接続した下部蛇腹状ホース１６に接続し、他端を送風機１１ａに接続している。
【００３６】
上記構成において動作を説明する。洗濯行程では、中蓋２１を開けて、内槽４内に衣類と洗剤を投入する。そして運転を開始すると、布量検知手段３３により内槽４内の衣類の量を検知し、温風を内槽４内に送風する時間を制御するようにしている。そのため、衣類の温度が十分にあがらずに汚れ落ちが悪くなることを防ぐことができ、優れた洗浄性能を得ることができる。他の動作については、実施例１と同じであり省略する。
【００３７】
（実施例８）
図９に示すように、筐体１は、内部に複数のサスペンション２によって弾性的に吊り下げた外槽３を設け、洗濯・脱水時の振動をサスペンション２によって吸収する構成としている。また、外槽３の内部には、衣類を収容する内槽４を中空で２重構造とした洗濯・脱水軸５を中心に回転可能に配設し、内槽４の内底部に衣類を攪拌する回転翼６を回転自在に配設している。また、内槽４の内部周壁には小孔（図示せず）を多数設けるとともに、上方には流体バランサ７を設けている。
【００３８】
モータ（駆動手段）８は、外槽３の底部に取り付け、洗濯時に回転力の伝達を洗濯・脱水軸５に切り換えるクラッチ９と洗濯・脱水軸５を介して、内槽４または回転翼６に連結している。回転翼６は外周部に外周方向に高くなる傾斜面を有する略Ｗ型の形状をし、攪拌用突出リブを形成している。３４は温度検知手段である。
【００３９】
ここで、図９に示すように加熱手段１０として、送風機１１ａ及びヒータ１１ｂを用いた場合について説明する。送風機１１ａは、ヒータ１１ｂにより加熱された温風を伸縮自在の上部蛇腹状ホース１２を通して内槽４内に送風するもので、送風機１１ａとヒータ１１ｂとで温風送風手段を構成している。循環路１４は、一端を外槽３の排水経路口１５に接続した下部蛇腹状ホース１６に接続し、他端を送風機１１ａに接続している。
【００４０】
上記構成において動作を説明する。洗濯行程では、中蓋２１を開けて、内槽４内に衣類と洗剤を投入する。そして運転を開始すると、温度検知手段３４により内槽４内の温度を検知し、ヒータ３０の通電時間及び温風を内槽４内に送風する時間を制御するようにしている。そのため、衣類の温度が十分にあがらずに汚れ落ちが悪くなることを防ぐことができ、優れた洗浄性能を得ることができる。他の動作については、実施例１と同じなので省略する。
【００４１】
（実施例９）
図１０に示すように、筐体１は、内部に複数のサスペンション２によって弾性的に吊り下げた外槽３を設け、洗濯・脱水時の振動をサスペンション２によって吸収する構成としている。また、外槽３の内部には、衣類を収容する内槽４を中空で２重構造とした洗濯・脱水軸５を中心に回転可能に配設し、内槽４の内底部に衣類を攪拌する回転翼６を回転自在に配設している。また、内槽４の内部周壁には小孔（図示せず）を多数設けるとともに、上方には流体バランサ７を設けている。
【００４２】
モータ（駆動手段）８は、外槽３の底部に取り付け、洗濯時に回転力の伝達を洗濯・脱水軸５に切り換えるクラッチ９と洗濯・脱水軸５を介して、内槽４または回転翼６に連結している。回転翼６は外周部に外周方向に高くなる傾斜面を有する略Ｗ型の形状をし、攪拌用突出リブを形成している。３５は給水時の水温を検知する温度検知手段で、３６は給水経路３７の途中に設けたヒータである。
【００４３】
ここで、図１０に示すように加熱手段１０として、送風機１１ａ及びヒータ１１ｂを用いた場合について説明する。送風機１１ａは、ヒータ１１ｂにより加熱された温風を伸縮自在の上部蛇腹状ホース１２を通して内槽４内に送風するもので、送風機１１ａとヒータ１１ｂとで温風送風手段を構成している。循環路１４は、一端を外槽３の排水経路口１５に接続した下部蛇腹状ホース１６に接続し、他端を送風機１１ａに接続している。
【００４４】
上記構成において動作を説明する。洗濯行程では、中蓋２１を開けて、内槽４内に衣類と洗剤を投入する。そして運転を開始すると、温度検知手段３５により給水時の水温を検知し、ヒータ３６の通電時間及び温風を内槽４内に送風する時間を制御するようにしている。そのため、衣類の温度が十分にあがらずに汚れ落ちが悪くなることを防ぐことができ、優れた洗浄性能を得ることができる。他の動作については、実施例１と同じなので省略する。
【００４５】
【発明の効果】
以上のように本発明の請求項１に記載の発明によれば、洗濯開始時に衣類及び水の温度を上げることができ、給水温度に応じて加熱手段による加熱時間を制御する構成としているので、衣類の温度が十分にあがらずに汚れ落ちが悪くなることを防ぐことができ、消費電力を抑え、効率的に洗浄率を向上することができる。
【図面の簡単な説明】
【図１】  本発明の実施例１の乾燥洗濯機の断面図
【図２】  同乾燥洗濯機の洗浄性能図
【図３】  本発明の実施例２の乾燥洗濯機の断面図
【図４】  本発明の実施例３の乾燥洗濯機の断面図
【図５】  本発明の実施例４の乾燥洗濯機の断面図
【図６】  本発明の実施例５の乾燥洗濯機の断面図
【図７】  本発明の実施例６の乾燥洗濯機の断面図
【図８】  本発明の実施例７の乾燥洗濯機の断面図
【図９】  本発明の実施例８の乾燥洗濯機の断面図
【図１０】  本発明の実施例９の乾燥洗濯機の断面図
【図１１】  従来の乾燥洗濯機の断面図
【符号の説明】
１  筐体
３  外槽
４  内槽
６  回転翼
８  モータ（駆動手段）
１０  加熱手段
【図１】
0003991759.tif 000002
【図２】
0003991759.tif 000003
【図３】
0003991759.tif 000004
【図４】
0003991759.tif 000005
【図５】
0003991759.tif 000006
【図６】
0003991759.tif 000007
【図７】
0003991759.tif 000008
【図８】
0003991759.tif 000009
【図９】
0003991759.tif 000010
【図１０】
0003991759.tif 000011
【図１１】
0003991759.tif 000012